(57)【要約】【課題】  クライアント機器が一つの画像の分割取得や縮小画像の取得を指定して行う画像表示装置および画像表示方法を提供する。【解決手段】  サーバー機器から静止画コンテンツを取得して表示するクライアント機器において、静止画コンテンツの取得の前にこの静止画コンテンツのファイルサイズ情報をサーバー機器から取得する手段と、サーバーがクライアント機器に対して許容しているダウンロード方法の情報をサーバー機器から取得する手段と、前記ファイルサイズ情報とサーバーの前記ダウンロード方法の情報とに基づいて静止画コンテンツへのアクセス方法あるいはコンテンツを分割してダウンロードする際のダウンロード回数あるいは取得画像を変更する手段とを備えたことを特徴とする画像表示装置。【選択図】      図５
2007060117.tif 000002
【特許請求の範囲】
【請求項１】
サーバー機器から画像コンテンツを取得して表示するクライアント機器において、
画像コンテンツの取得の前にこの画像コンテンツのファイルサイズ情報をサーバー機器から取得する手段と、
前記ファイルサイズ情報に基づいて画像コンテンツを分割してダウンロードする際のダウンロード回数あるいは取得画像を変更する手段とを備えたことを特徴とする画像表示装置。
【請求項２】
サーバー機器から画像コンテンツを取得して表示するクライアント機器において、
画像コンテンツの取得の前にこの画像コンテンツのファイルサイズ情報をサーバー機器から取得する手段と、
サーバーがクライアント機器に対して許容しているダウンロード方法の情報をサーバー機器から取得する手段と、
前記ダウンロード方法の情報に基づいて画像コンテンツへのアクセス方法を変更する手段とを備えたことを特徴とする画像表示装置。
【請求項３】
サーバー機器から静止画コンテンツを取得して表示するクライアント機器において、
静止画コンテンツの取得の前にこの静止画コンテンツのファイルサイズ情報をサーバー機器から取得する手段と、
サーバーの前記ダウンロード方法の情報をサーバー機器から取得する手段と、
前記ファイルサイズ情報とサーバーの前記ダウンロード方法の情報とに基づいて静止画コンテンツへのアクセス方法あるいはコンテンツを分割してダウンロードする際のダウンロード回数あるいは取得画像を変更する手段とを備えたことを特徴とする画像表示装置。
【請求項４】
前記静止画コンテンツの前記ファイルサイズ情報として前記静止画コンテンツのファイルサイズ情報を用いる手段と、このサイズがクライアント機器のダウンロード可能メモリ量以下である場合には前記静止画コンテンツを全てクライアントのメモリにダウンロードする手段と、前記サイズが不明の場合には前記静止画コンテンツのダウンロード要求をサーバー機器に送信する手段と、前記静止画コンテンツの先頭部分を取得したところで前記静止画コンテンツのヘッダ部分を解析しまたはサーバー機器からのコンテンツの転送時の応答ヘッダ部分を解析してコンテンツサイズ情報を取得する手段と、前記コンテンツサイズがクライアント機器のダウンロード可能メモリ量以下である場合には静止画コンテンツを全てクライアントのメモリにダウンロードする手段と、上記以外の場合にはサーバー機器が同一内容かつ解像度を落とした静止画コンテンツを公開しているかどうかのサーバーの前記ダウンロード方法の情報を取得する手段と、公開している場合には上記ダウンロード可能メモリ量以下の判定と可能であればダウンロード動作を行う手段と、公開していない場合には静止画コンテンツを再生できないことを示す画像を表示する手段とを備えたことを特徴とする請求項３に記載の画像表示装置。
【請求項５】
静止画コンテンツのファイルサイズ情報として前記静止画コンテンツのファイルサイズ情報を用いる手段と、コンテンツサイズがクライアント機器のダウンロード可能メモリ量以下である場合には静止画コンテンツを全てクライアントのメモリにダウンロードする手段と、コンテンツサイズがダウンロード可能メモリ量以上あるいは不明である場合にはクライアント機器のデコーダの指示に従ってサーバー上の静止画コンテンツの指定領域へのアクセスを行う手段とを備えたことを特徴とする請求項３に記載の画像表示装置。
【請求項６】
サーバーの前記ダウンロード方法の情報として静止画コンテンツの先頭以外の部分からのアクセスが許容されるかどうかの情報を用い先頭以外の部分へのアクセスが許容される場合には指定領域を直接指定してアクセスを行う手段と、先頭以外の部分へのアクセスが許容されない場合には先頭から指定領域の末尾までの領域を指定してアクセスを行う手段と、指定領域の先頭までの情報を破棄しながら静止画コンテンツを取得する手段とを備えたことを特徴とする請求項５に記載の画像表示装置。
【請求項７】
サーバー機器から画像コンテンツを取得して表示するクライアント機器において、
画像コンテンツの取得の前にこの画像コンテンツのファイルサイズ情報をサーバー機器から取得し、
前記ファイルサイズ情報に基づいて画像コンテンツを分割してダウンロードする際のダウンロード回数あるいは取得画像を変更することを特徴とする画像表示方法。
【請求項８】
サーバー機器から画像コンテンツを取得して表示するクライアント機器において、
画像コンテンツの取得の前にこの画像コンテンツのファイルサイズ情報をサーバー機器から取得し、
サーバーがクライアント機器に対して許容しているダウンロード方法の情報をサーバー機器から取得し、
サーバーの前記ダウンロード方法の情報に基づいて画像コンテンツへのアクセス方法を変更することを特徴とする画像表示方法。
【請求項９】
サーバー機器から静止画コンテンツを取得して表示するクライアント機器において、
静止画コンテンツの取得の前にこの静止画コンテンツのファイルサイズ情報をサーバー機器から取得し、
サーバーの前記ダウンロード方法の情報をサーバー機器から取得し、
前記ファイルサイズ情報とサーバーの前記ダウンロード方法の情報とに基づいて静止画コンテンツへのアクセス方法あるいはコンテンツを分割してダウンロードする際のダウンロード回数あるいは取得画像を変更することを特徴とする画像表示方法。
【請求項１０】
前記静止画コンテンツの前記ファイルサイズ情報として前記静止画コンテンツのファイルサイズ情報を用い、このサイズがクライアント機器のダウンロード可能メモリ量以下である場合には前記静止画コンテンツを全てクライアントのメモリにダウンロードし、前記サイズが不明の場合には前記静止画コンテンツのダウンロード要求をサーバー機器に送信し、前記静止画コンテンツの先頭部分を取得したところで前記静止画コンテンツのヘッダ部分を解析しまたはサーバー機器からのコンテンツの転送時の応答ヘッダ部分を解析してコンテンツサイズ情報を取得し、前記コンテンツサイズがクライアント機器のダウンロード可能メモリ量以下である場合には静止画コンテンツを全てクライアントのメモリにダウンロードし、上記以外の場合にはサーバー機器が同一内容かつ解像度を落とした静止画コンテンツを公開しているかどうかのサーバーの前記ダウンロード方法の情報を取得し、公開している場合には、上記ダウンロード可能メモリ量以下の判定と可能であればダウンロード動作を行い、公開していない場合には静止画コンテンツを再生できないことを示す画像を表示することを特徴とする請求項９に記載の画像表示方法。
【請求項１１】
静止画コンテンツのファイルサイズ情報として前記静止画コンテンツのファイルサイズ情報を用い、コンテンツサイズがクライアント機器のダウンロード可能メモリ量以下である場合には静止画コンテンツを全てクライアントのメモリにダウンロードし、コンテンツサイズがダウンロード可能メモリ量以上あるいは不明である場合には、クライアント機器のデコーダの指示に従ってサーバー上の静止画コンテンツの指定領域へのアクセスを行うことを特徴とする請求項９に記載の画像表示方法。
【請求項１２】
サーバーの前記ダウンロード方法の情報として静止画コンテンツの先頭以外の部分からのアクセスが許容されるかどうかの情報を用い先頭以外の部分へのアクセスが許容される場合には指定領域を直接指定してアクセスを行い、先頭以外の部分へのアクセスが許容されない場合には先頭から指定領域の末尾までの領域を指定してアクセスを行い、指定領域の先頭までの情報を破棄しながら静止画コンテンツを取得することを特徴とする請求項１１に記載の画像表示方法。
【発明の詳細な説明】
【技術分野】
【０００１】
この発明は、画像コンテンツをサーバー機器から取得して表示する画像表示装置および画像表示方法に関する。
【背景技術】
【０００２】
近年ではサーバー機器に蓄積された情報をクライアント機器が取得して利用する情報の利用システムが、システム形態として採られることが多い。
情報を利用する例としてプログラムデータであれば取得したプログラムデータをクライアント機器が実行することが行われている。このとき容量が大きくなりがちなプログラムデータの取得には応じてかなりのクライアント機器側の取得エリアの容量を要し、全てのプログラムデータの取得と実行は不可能となってしまうという問題がある。
【０００３】
従来、プログラムの一部のみを取得し実行する技術が知られている（例えば、特許文献１参照）。この技術では、プログラムをプログラム管理装置側において機能モジュールに分割し、情報端末側の空きメモリ容量で実行できる組合わせで、プログラム管理装置から機能モジュール群を情報端末へダウンロードすることにより、この機能モジュール群に対応する機能のみの実行を実現する利用形態となっている。しかし、この利用形態においては情報端末は空きメモリ容量をプログラム管理装置へ通知し、プログラム管理装置側がプログラムの機能モジュールの容量属性という、圧縮や更なる分割という融通の無い、データの性格に依存したサーバ機器におけるダウンロード管理を行っていた。
【０００４】
即ち、他の画像等の一般的な情報の取得と利用において、クライアント機器側が融通の有るデータの扱い、一つの画像の場合であれば分割取得や縮小画像の取得を指定して行うことのできる技術ではないという問題があった。
【特許文献１】特開２００２−２１５４０９号公報
【発明の開示】
【発明が解決しようとする課題】
【０００５】
本発明は、クライアント機器が一つの画像の分割取得や縮小画像の取得を指定して行う画像表示装置および画像表示方法を提供することを目的とする。
【課題を解決するための手段】
【０００６】
上記の目的を達成するために、この発明においては、サーバー機器から静止画コンテンツを取得して表示するクライアント機器において、静止画コンテンツの取得の前にこの静止画コンテンツのファイルサイズ情報をサーバー機器から取得する手段と、サーバーがクライアント機器に対して許容しているダウンロード方法の情報をサーバー機器から取得する手段と、前記ファイルサイズ情報と前記サーバーの前記ダウンロード方法の情報とに基づいて静止画コンテンツへのアクセス方法あるいはコンテンツを分割してダウンロードする際のダウンロード回数（以下、ダウンロード分割回数）あるいは取得画像を変更する手段とを備えたことを特徴とする画像表示装置を提供する。
【０００７】
なお、装置に係る本発明は方法に係る発明としても成立する。
なお本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、クライアント機器が一つの画像の分割取得や縮小画像の取得を指定して行う画像表示装置および画像表示方法が得られる。
【発明を実施するための最良の形態】
【０００９】
以下、図面を参照しながら本発明の実施形態について説明する。
【実施例１】
【００１０】
本発明の実施例１を図１乃至図５を参照して説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル、液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤレコーダ１２９等の機器を接続し、これらの機器と情報伝送を行なうために使用される。
【００１８】
なお、ＰＣ１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２７】
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３１】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３２】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３３】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３４】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３５】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３６】
また、字幕放送による字幕を表示するとき、グラフィック処理部２５４は、制御部２６１からの制御信号および字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてＰＣ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５１】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
デジタルテレビジョン放送受信装置１１１は、内部に時計２８０を有しており、時刻管理を行うことができる。
このデジタルテレビジョン放送受信装置１１１は、通常、番組のＭＰＥＧトランスポートストリームをＡＶ−ＨＤＤ１４１へ記録する。
図３は、本発明の実施形態の動作を説明するためのブロック図である。ダウンロード用メモリ領域３０１、デコーダ３０２、画像表示用メモリ領域３０３がある。ダウンロード用メモリ領域３０１、デコーダ３０２をアプリケーションプログラムとして内に持つ図示せぬ制御プログラム用メモリ領域、画像表示用メモリ領域３０３、は各々図２のＲＡＭ２６１ｂの構成要素である。
【００５３】
前述の図１のＰＣ１２８のサーバ機能として予め容量圧縮等のためにエンコードされた静止画コンテンツの供給が行われていて、図２のＬＡＮ端子１２２、通信Ｉ／Ｆ２７０を経由して図３のダウンロード用メモリ領域３０１に入力されている構成である。ダウンロード用メモリ領域３０１にダウンロードされた静止画コンテンツは次のデコーダ３０２に入力されて処理され、この処理結果が出力されてダウンロード用メモリ領域３０１より大容量の画像表示用メモリ領域３０３へと入力される。
【００５４】
この一連の処理は制御プログラム用メモリ領域にある制御プログラムによって以下制御される。即ち、ダウンロード用メモリ領域３０１にある予めエンコードされている静止画コンテンツをデコーダ３０１はデコードして表示可能な形式に変換処理し、画像表示用メモリ領域３０３はこの変換処理された結果を保持して信号処理部２４７、グラフィック処理部２５４、映像処理部２５８を経由して映像表示器１１４で表示させる。
【００５５】
図４は、実施形態のサーバー機器から得られる可能性のある情報を説明するための図である。画像利用情報４０１は、画像をクライアント機器のユーザが利用するための所謂プロファイルといった情報であり例として静止画コンテンツの名称がある。転送用ヘッダ４０２はファイルサイズ情報であり、静止画コンテンツ取得に先立ってＵＲＩの内のHTTPスキームで取得リクエストをサーバー機器へ行うと返される応答ヘッダ部分として、静止画コンテンツの概略サイズ情報を含むヘッダである。静止画コンテンツ４０３は破線で示したヘッダ情報部分と表示用データ部分とから成り、ヘッダ情報部分は静止画コンテンツの正確なサイズ情報としてファイルサイズを含む。サーバーのダウンロード方法の情報４０４は、コンテンツサーバがクライアント機器に対して許容しているダウンロード方法の情報（以下、ダウンロード方法許容情報）であり、例えば解像度を落としたコンテンツを公開しているか否かという情報がある。
【００５６】
図５に、本実施形態の動作を説明するためのフローチャートを示す。前述の制御プログラムによって以下制御される。
ステップＳ５０１：コンテンツサーバーから静止画コンテンツのサイズ情報とコンテンツサーバーのダウンロード方法許容情報を取得する。
ステップＳ５０２：サイズ情報とダウンロード方法許容情報に基づき静止画コンテンツが表示可能か判定を行う。
ステップＳ５０３：前記可能と判定された場合、静止画コンテンツのサイズ情報とコンテンツサーバーのダウンロード方法許容情報に応じたアクセス方法を設定する。
【００５７】
ステップＳ５０４：コンテンツサーバーにアクセスし、取得した静止画コンテンツを表示する。
ステップＳ５０５：Ｓ５０２で不可能と判定された場合、代替画像を表示する。代替画像とは例えば、×印であったり、「ただ今表示できません」といった、表示不可のメッセージである。
【００５８】
この表示不可のメッセージによって、サーバー機器から画像の取得、表示ができなかったことがユーザに解る。一方、ステップＳ５０４では、本来期待されるべき画像の取得、表示が行われる。
【実施例２】
【００５９】
本発明の実施例２を図１乃至図４、及び図６を参照して説明する。尚実施例２では図１乃至図４の構成は実施例１と同一であるため、同一部分の説明は省略する。
図６に、本実施形態の動作を説明するためのフローチャートを示す。
ステップＳ６０１：コンテンツサーバーから静止画コンテンツのサイズ情報とコンテンツサーバーのダウンロード方法許容情報を取得する。
ステップＳ６０２：コンテンツサイズが取得可能か判定を行う。取得不可能との判定の場合には、ステップＳ６０５へとぶ。
ステップＳ６０３：前記可能と判定された場合、コンテンツサイズがダウンロード可能メモリ量以下か判定を行う。メモリ量以下でないとの判定の場合には、ステップＳ６０８へとぶ。
【００６０】
ステップＳ６０４：前記メモリ量以下と判定された場合、コンテンツサーバーから静止画コンテンツを全てクライアント機器のメモリ上にダウンロードし、表示する。
【００６１】
ステップＳ６０５：Ｓ６０２で不可能と判定された場合、静止画コンテンツのダウンロード要求をコンテンツサーバーに送信する。
ステップＳ６０６：コンテンツサーバーからの応答データの転送用ヘッダ４０２または静止画コンテンツのヘッダ４０３の解析からコンテンツサイズが取得可能か判定を行う。可能の判定の場合には、ステップＳ６０３へ戻る。
【００６２】
ステップＳ６０７：前記不可能と判定された場合、静止画コンテンツのダウンロード要求を中断する。
ステップＳ６０８：コンテンツサーバーが現在対象としている静止画コンテンツと同一内容かつ解像度を落としたコンテンツを公開しているか判定を行う。公開していると判定された場合は、ステップＳ６０１に戻る。
【００６３】
ステップＳ６０９：前記公開していないと判定された場合、代替画像を表示する。代替画像とは例えば、×印であったり、「ただ今表示できません」といった、表示不可のメッセージである。この表示不可のメッセージによって、サーバー機器から画像の取得、表示ができなかったことがユーザに解る。
【００６４】
一方、解像度を落としたより小さなファイルサイズの画像が例えば２段階用意されていれば、ステップＳ６０８からステップＳ６０１に戻り初めに取得を予定していた画像から取得画像を変更して表示を行う機会が２回迄あるという効果がある。
【実施例３】
【００６５】
本発明の実施例３を図１乃至図４、及び図７を参照して説明する。尚実施例３では図１乃至図４の構成は実施例１と同一であるため、同一部分の説明は省略する。
図７に、本実施形態の動作を説明するためのフローチャートを示す。
ステップＳ７０１：コンテンツサーバーから静止画コンテンツのサイズ情報とコンテンツサーバーのダウンロード方法許容情報を取得する。
ステップＳ７０２：コンテンツサイズが取得可能か判定を行う。取得不可能との判定の場合には、ステップＳ７０５へとぶ。
ステップＳ７０３：前記可能と判定された場合、コンテンツサイズがダウンロード可能メモリ量以下か判定を行う。メモリ量以下でないとの判定の場合には、ステップＳ７０８へとぶ。
【００６６】
ステップＳ７０４：前記メモリ量以下と判定された場合、コンテンツサーバーから静止画コンテンツを全てクライアント機器のメモリ上にダウンロードし、表示する。
【００６７】
ステップＳ７０５：Ｓ７０２で不可能と判定された場合、静止画コンテンツのダウンロード要求をコンテンツサーバーに送信する。
ステップＳ７０６：コンテンツサーバーからの応答データのヘッダ４０２または静止画コンテンツのヘッダ４０３の解析からコンテンツサイズが取得可能か判定を行う。可能の判定の場合には、ステップＳ７０３へ戻る。
【００６８】
ステップＳ７０７：前記不可能と判定された場合、静止画コンテンツのダウンロード要求を中断する。
ステップＳ７０８：静止画デコーダの指示に従い、表示に必要なサーバー上の静止画コンテンツの指定領域へのアクセスを行い、表示する。指定領域とは、例えばデコーダが表示画像イメージを縦方向10行分ずつスライスして扱う指示を行うとすれば、２回目に扱う部分領域としては11行目から20行目となる。表示画像イメージの行数を10で割った回数（又は＋１回）アクセスが繰り返される。ダウンロード分割回数の、１回からこの回数への変更である。
【実施例４】
【００６９】
本発明の実施例４を図１乃至図４、及び図８を参照して説明する。尚実施例４では図１乃至図４の構成は実施例３と同一であるため、同一部分の説明は省略する。
図８に、本実施形態の動作を説明するためのフローチャートを示す。
ステップＳ８０１：コンテンツサーバーから静止画コンテンツのサイズ情報とコンテンツサーバーのダウンロード方法許容情報を取得する。
ステップＳ８０２：コンテンツサイズが取得可能か判定を行う。取得不可能との判定の場合には、ステップＳ８０５へとぶ。
ステップＳ８０３：前記可能と判定された場合、コンテンツサイズがダウンロード可能メモリ量以下か判定を行う。メモリ量以下でないとの判定の場合には、ステップＳ８０８へとぶ。
【００７０】
ステップＳ８０４：前記メモリ量以下と判定された場合、コンテンツサーバーから静止画コンテンツを全てクライアント機器のメモリ上にダウンロードし、表示する。
【００７１】
ステップＳ８０５：Ｓ８０２で不可能と判定された場合、静止画コンテンツのダウンロード要求をコンテンツサーバーに送信する。
ステップＳ８０６：コンテンツサーバーからの応答データのヘッダ４０２または静止画コンテンツのヘッダ４０３の解析からコンテンツサイズが取得可能か判定を行う。可能の判定の場合には、ステップＳ８０３へ戻る。
【００７２】
ステップＳ８０７：前記不可能と判定された場合、静止画コンテンツのダウンロード要求を中断する。
ステップＳ８０８：コンテンツサーバーがコンテンツ先頭以外の部分からのアクセスを許容するか否かを判定する。許容との判定の場合は次のステップＳ８０９に進み、許容しないとの判定の場合はステップＳ８１０へと進む。ここでアクセスとは、指定した対象部分からのダウンロードを意味する。ダウンロード許容情報に基づくアクセス方法の変更である。
【００７３】
ステップＳ８０９：静止画デコーダの指示に従い、表示に必要なサーバー上の静止画コンテンツの指定領域へのアクセスを行い、表示する。指定領域とは、例えばデコーダが表示画像イメージを縦方向10行分ずつスライスして扱う指示を行うとすれば、２回目に扱う部分領域としては11行目から20行目となる。表示画像イメージの行数を10で割った回数（又は＋１回）アクセスが繰り返される。
【００７４】
ステップＳ８１０：指定領域の表示方法はステップＳ８０９と同様であるが、指定領域に達するまでコンテンツを読み飛ばす。即ち、静止画デコーダがコンテンツ先頭以外の領域を指定した場合には、先頭から指定領域の末尾までの領域を指定してアクセスし、指定領域の先頭までの情報は逐次破棄する。
【００７５】
以上説明した通り本発明によれば、画像取得情報に基づいて画像を取得し表示することができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００７６】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態の動作を説明するためのブロック図。
【図４】実施形態のサーバー機器情報を説明するための図。
【図５】実施形態の対応動作を説明するためのフローチャート１。
【図６】実施形態の対応動作を説明するためのフローチャート２。
【図７】実施形態の対応動作を説明するためのフローチャート３。
【図８】実施形態の対応動作を説明するためのフローチャート４。
【符号の説明】
【００７７】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
３０１…ダウンロード用メモリ領域、３０２…デコーダ、３０３…画像表示用メモリ領域。
【図１】
2007060117.tif 000003
【図２】
2007060117.tif 000004
【図３】
2007060117.tif 000005
【図４】
2007060117.tif 000006
【図５】
2007060117.tif 000007
【図６】
2007060117.tif 000008
【図７】
2007060117.tif 000009
【図８】
2007060117.tif 000010